(57)【要約】      （修正有）【課題】短時間で効率よく且つ経済的に温湯を作ることができ、屋内外問わずにどこでも使用することができる携帯型湯沸し器を提供する。【解決手段】携帯型湯沸し器１は、水を貯留するタンク１９と、略円柱状の４つの加熱室２１〜２４が４段重ねにタンク１９の底部に凹設された内釜２５と、タンク１９を貫通して内釜２５に連結された排気管１４と、内釜２５内に傾斜して橋設され両端がタンク１９に連通された複数の加熱管２４２とを有して構成されている。加熱管２４２の内部で加熱された水が傾斜した加熱管２４２の下方から上方に効率よく移動しタンク内部の対流を促進するので、極めて効率のよい湯沸しを達成することができる。【選択図】図５
0003155353.tif 000002
【実用新案登録請求の範囲】
【請求項１】
カセットガスコンロ又はカセットガストーチバーナを利用して湯沸しをする携帯型湯沸し器であって、
水を貯留するタンクと、
前記タンクの底部又は側部に凹設された内釜と、
前記タンクを貫通して前記内釜に連結された排気管と、
前記内釜内に傾斜して橋設され両端が前記タンクに連通された加熱管と、
を有することを特徴とする、携帯型湯沸し器。
【請求項２】
前記加熱管を複数有することを特徴とする、請求項１に記載の携帯型湯沸し器。
【請求項３】
前記加熱管の外壁に付設された加熱板を更に有することを特徴とする、請求項１又は２に記載の携帯型湯沸し器。
【請求項４】
前記加熱板は、円環状フィン又は螺旋状フィンであることを特徴とする、請求項３に記載の携帯型湯沸し器。
【請求項５】
前記内釜は、略角柱状、略円柱状、略楕円柱状、略截頭角錐状、略截頭円錐状、略截頭楕円錐状、略截頭半球状又は略截頭半楕円体状の複数の加熱室が多段重ねに凹設されてなることを特徴とする、請求項１〜４の何れか１項に記載の携帯型湯沸し器。
【請求項６】
前記タンクは、
上面が開口した胴体と、
前記胴体の開口部に着脱自在に嵌装された蓋体と、
から構成されることを特徴とする、請求項１〜５の何れか１項に記載の携帯型湯沸し器。
【請求項７】
前記排気管は、排気口に排気口キャップを備え、
前記排気口キャップは、前記排気管を通してバーナの着火状態を確認するための確認窓を有することを特徴とする、
請求項１〜６の何れか１項に記載の携帯型湯沸し器。
【請求項８】
前記タンクに連通した給湯用蛇口を更に備えたことを特徴とする、請求項１〜７の何れか１項に記載の携帯型湯沸し器。
【請求項９】
カセットガスコンロ又はカセットガストーチバーナを更に備えたことを特徴とする、請求項１〜８の何れか１項に記載の携帯型湯沸し器。
【請求項１０】
カセットガスコンロを収容するコンロ収容部を更に備え、
前記コンロ収容部は、少なくとも前記カセットガスコンロのバーナを収容する部分が防風壁で囲繞されていることを特徴とする、請求項１〜９の何れか１項に記載の携帯型湯沸し器。
【請求項１１】
防災用湯沸し器、鍋又は釜である、請求項１〜１０の何れか１項に記載の携帯型湯沸し器。
【請求項１２】
ポンプと前記ポンプにシャワーホースを介して連結されたシャワーヘッドとからなる携帯型シャワーを更に備えたことを特徴とする、請求項１〜１１の何れか１項に記載の携帯型湯沸し器。
【考案の詳細な説明】
【技術分野】
【０００１】
本考案は、携帯型湯沸し器に関する。詳しくは、短時間で効率よく且つ経済的に温湯を作ることができ、調理器としても利用可能な携帯型湯沸し器に関する。
【背景技術】
【０００２】
台風や長雨よる洪水や土砂崩れ、地震、津波等の自然災害や、大規模な事故や火災、テロ、戦争等の人為的災害により、電気、ガス、水道等の公共設備や電話、インターネット等の通信設備、道路や交通手段等の物流設備等が破壊されライフラインが断たれると、被災者は、これらが普及するまでの間、体育館や公民館等の避難所での避難生活を強いられることになる。
【０００３】
かかる被災現場では、避難生活が長期化するにつれて、食事やトイレ、入浴等の問題が深刻化することから、最近では、国や地方自治体等が主導して有事に備えて防災用の燃料や鍋、やかん等の調理器具、仮設トイレ、仮設シャワー等を設備するようになってきている。
【０００４】
このような災害時の設備として、カセットガスコンロが、比較的場所を選ばすにやかんや鍋等の調理器を用いて簡単に湯沸しや調理をすることができるため、利用されている。
【考案の概要】
【考案が解決しようとする課題】
【０００５】
しかしながら、カセットガスコンロは火力が弱いため湯沸しや調理に時間がかかることや、燃料であるカートリッジ式ガスボンベの備蓄量には限りがあるためできる限り燃料を節約する必要があること等から、カセットガスコンロで利用できるより効率の良い湯沸し器や調理器が求められていた。また、カセットガスコンロは風の影響を受け易く屋外での利用に適さないという問題があり、カセットガスコンロを用いて屋外の不利な環境下でも安定して使用することのできる湯沸し器等が必要とされていた。
【０００６】
本考案は上記従来技術の有する問題点に鑑みなされたものであり、その目的とするところは、短時間で効率よく且つ経済的に温湯を作ることができる携帯型湯沸し器を提供することにある。
【０００７】
本考案の他の目的は、屋内外を問わずにどこでも使用することができ、小型で可搬性に優れ、安価に製造することができる携帯型湯沸し器を提供することにある。
【課題を解決するための手段】
【０００８】
本考案の上記目的は、下記の手段によって達成される。
【０００９】
（１）即ち、本考案は、カセットガスコンロ又はカセットガストーチバーナを利用して湯沸しをする携帯型湯沸し器であって、水を貯留するタンクと、前記タンクの底部又は側部に凹設された内釜と、前記タンクを貫通して前記内釜に連結された排気管と、前記内釜内に傾斜して橋設され両端が前記タンクに連通された加熱管と、を有することを特徴とする、携帯型湯沸し器である。
【００１０】
（２）本考案はまた、前記加熱管を複数有することを特徴とする、（１）に記載の携帯型湯沸し器である。
【００１１】
（３）本考案はまた、前記加熱管の外壁に付設された加熱板を更に有することを特徴とする、（１）又は（２）に記載の携帯型湯沸し器である。
【００１２】
（４）本考案はまた、前記加熱板は、円環状フィン又は螺旋状フィンであることを特徴とする、（３）に記載の携帯型湯沸し器である。
【００１３】
（５）本考案はまた、前記内釜は、略角柱状、略円柱状、略楕円柱状、略截頭角錐状、略截頭円錐状、略截頭楕円錐状、略截頭半球状又は略截頭半楕円体状の複数の加熱室が多段重ねに凹設されてなることを特徴とする、（１）〜（４）の何れか１項に記載の携帯型湯沸し器である。
【００１４】
（６）本考案はまた、前記タンクは、上面が開口した胴体と、前記胴体の開口部に着脱自在に嵌装された蓋体と、から構成されることを特徴とする、（１）〜（５）の何れか１項に記載の携帯型湯沸し器である。
【００１５】
（７）本考案はまた、前記排気管は、排気口に排気口キャップを備え、前記排気口キャップは、前記排気管を通してバーナの着火状態を確認するための確認窓を有することを特徴とする、（１）〜（６）の何れか１項に記載の携帯型湯沸し器である。
【００１６】
（８）本考案はまた、前記タンクに連通した給湯用蛇口を更に備えたことを特徴とする、（１）〜（７）の何れか１項に記載の携帯型湯沸し器である。
【００１７】
（９）本考案はまた、カセットガスコンロ又はカセットガストーチバーナを更に備えたことを特徴とする、（１）〜（８）の何れか１項に記載の携帯型湯沸し器である。
【００１８】
（１０）本考案はまた、カセットガスコンロを収容するコンロ収容部を更に備え、前記コンロ収容部は、少なくとも前記カセットガスコンロのバーナを収容する部分が防風壁で囲繞されていることを特徴とする、（１）〜（９）の何れか１項に記載の携帯型湯沸し器である。
【００１９】
（１１）本考案はまた、防災用湯沸し器、鍋又は釜である、（１）〜（１０）の何れか１項に記載の携帯型湯沸し器である。
【００２０】
（１２）本考案はまた、ポンプと前記ポンプにシャワーホースを介して連結されたシャワーヘッドとからなる携帯型シャワーを更に備えたことを特徴とする、（１）〜（１１）の何れか１項に記載の携帯型湯沸し器である。
【考案の効果】
【００２１】
本考案の携帯型湯沸し器は、カセットガスコンロ又はカセットガストーチバーナを利用して湯沸しをする携帯型湯沸し器であって、水を貯留するタンクと、タンクの底部又は側部に凹設された内釜と、タンクを貫通して内釜に連結された排気管と、内釜内に傾斜して橋設され両端がタンクに連通された複数の加熱管と、を有するので、排気管の内壁を介して排気管内を通過する高熱の排気ガスとタンク内の水とで熱交換を行うことにより、更に効率的に湯沸しを行うことができ、また、カセットガスコンロのバーナの火力から各加熱管内部の水への熱伝達が高効率に行われるだけでなく、内釜内に各加熱管を傾斜させて配設したことにより、各加熱管の内部で加熱された水が傾斜した加熱管の下方から上方に効率よく移動しタンク内部の対流を促進するので、更に湯沸しの高効率化を達成することができる。
【００２２】
また、本考案の携帯型湯沸し器は、加熱管の外壁に付設された、円環状フィン又は螺旋状フィンである加熱板を更に有するので、熱伝達の高効率化を安価に実現することができる。
【００２３】
また、本考案の携帯型湯沸し器は、内釜が、略角柱状や略円柱状等の複数の加熱室が多段重ねに凹設されてなるので、カセットガスコンロのバーナによる内釜の実質的な加熱面積を増大させることができ、短時間で効率よく且つ経済的に温湯を作ることができ、また、内釜に複雑な構造を要しないので、携帯型湯沸し器を安価に製造することができる。
【００２４】
また、本考案の携帯型湯沸し器は、タンクが、上面が開口した胴体と、胴体の開口部に着脱自在に嵌装された蓋体と、から構成されるので、蓋体を取り外して当該開口部から食材等を投入することができ、更に湯沸し器以外に鍋や釜等の調理器としても利用することができる。
【００２５】
また、本考案の携帯型湯沸し器は、排気管が、排気口に排気口キャップを備え、排気口キャップが、排気管を通してバーナの着火状態を確認するための確認窓を有するので、逆風を防止することができるだけでなく、カセットガスコンロのバーナの着火状態等を確認することができる。
【００２６】
また、本考案の携帯型湯沸し器は、タンクに連通した給湯用蛇口を更に備えているので、必要な時に給湯を行うことができる。
【００２７】
また、本考案の携帯型湯沸し器は、カセットガスコンロ又はカセットガストーチバーナを更に備えているので、屋内外を問わずにどこでも使用することができる。
【００２８】
また、本考案の携帯型湯沸し器は、カセットガスコンロを収容するコンロ収容部を更に備え、コンロ収容部は、少なくとも前記カセットガスコンロのバーナを収容する部分が防風壁で囲繞されているので、カセットガスコンロのバーナが風の影響を受けることなく安定して燃焼を行うことができる。
【００２９】
また、本考案の携帯型湯沸し器は、上述した構成を有しているので、防災用湯沸し器、鍋、釜等として利用したり、或いは、ポンプと前ポンプにシャワーホースを介して連結されたシャワーヘッドとからなる携帯型シャワーを更に備えることにより、このシャワーを用いて給湯することもできる。
【図面の簡単な説明】
【００３０】
【図１】本考案の第１の実施形態にかかる携帯型湯沸し器１の外部構成を示す斜視図である。
【図２】携帯型湯沸し器１の平面図である。
【図３】携帯型湯沸し器１の正面図である。
【図４】携帯型湯沸し器１の底面図である。
【図５】携帯型湯沸し器１の内部構成を示すＡ−Ａ断面図である。
【図６】携帯型湯沸し器１の使用態様を示す概念図である。
【図７】携帯型湯沸し器１の他の実施形態に係る加熱管２４１〜２４３の部分拡大図であり、（ａ）は、外壁に円環状フィン２４４が付設された加熱管２４１を示すものであり、（ｂ）は、そのＢ−Ｂ断面図である。
【図８】携帯型湯沸し器１の他の実施形態に係る加熱管２４１〜２４３の部分拡大図であり、（ａ）は、外壁に螺旋状フィン２４５が付設された加熱管２４１を示すものであり、（ｂ）は、そのＣ−Ｃ断面図である。
【考案を実施するための形態】
【００３１】
以下、本考案の実施の形態を、図面を参照して詳細に説明する。
【００３２】
図１は、本考案の第１の実施形態にかかる携帯型湯沸し器１の外部構成を示す斜視図であり、図２及び図３はそれぞれ、その平面図及び正面図である。図１〜３に示すように、携帯型湯沸し器１は、略円筒体の胴体１０、蓋体１１、台座１６等から構成されており、これらは、機械的強度が高く、耐熱性、防水性及び防錆性に優れた素材、例えばアルミニウム、ステンレス鋼等の金属等からできている。
【００３３】
携帯型湯沸し器１の胴体１０の上面は開口しており、当該開口部には蓋体１１が着脱自在に設けられている。蓋体１１は、胴体１０の開口部近傍側面に対向して設けられた２つの留金１１１により胴体１０に固定されるようになっている。かかる構造とすることにより、携帯型湯沸し器１は、蓋体１１を取り外して当該開口部から食材等を投入することができるので、湯沸し器以外に鍋や釜等の調理器としても利用することができる。
【００３４】
また、蓋体１１には、後述するカセットガスコンロの燃焼ガスを排気するため内部に設けられた排気管の上端部に連接して開口された略円形状の排気口１２１を有しており、排気口１２１には、逆風防止のための排気口キャップ１３が嵌着されている。排気口キャップ１３の天板１３１には、カセットガスコンロのバーナの着火状態等を確認するための略円形状の確認窓１３２が開口されており、確認窓１３２を開閉するための略円盤状の確認窓蓋１３３がその周縁部の１点で天板１３１に摺動自在に軸支されている。さらに、蓋体１１に開口された、給水等を行うための略円形状の注水口１４には、防塵や異物混入防止のための注水口キャップ１５が嵌着されており、注水口キャップ１５にはタンク内部の水温を測定するための温度計１５１が貫設されている。
【００３５】
一方、携帯型湯沸し器１の胴体１０の下面は台座１６と連結されている。台座１６は、側面の全周に亘って所定幅の防風壁１６２を備えており、携帯型湯沸し器１の使用時には、防風壁１６２がカセットガスコンロのバーナ及び五徳を囲繞するので、カセットガスコンロのバーナが風の影響を受けることなく安定して燃焼を行えるようになっている。また、防風壁１６２の外面には、台座１６を支持するための４つの脚板１６３を備えており、脚板１６３で支持された台座１６の下部のスペースがカセットガスコンロを装着するためのコンロ収容部１６１となっており、後述するようにコンロ収容部１６１にカセットガスコンロを装着して携帯型湯沸し器１を加熱することにより湯沸しをする構成となっている。
【００３６】
更に、携帯型湯沸し器１は、側面の１つに給湯を行うための蛇口１７を備えるとともに、対向する２つの側面に両端部が軸支された略凸字状の可動式取っ手１８を備えており、取っ手１８を把持して上方に持ち上げることにより容易に運搬可能に構成されている。
【００３７】
図４は、携帯型湯沸し器１の底面図であり、図５は、携帯型湯沸し器１の内部構成を示すＡ−Ａ断面図である。図４及び図５に示すように、携帯型湯沸し器１の胴体１０の内部には、加熱前の水又は加熱後の温湯を貯留するためのタンク１９が形成されており、コンロ収容部１６１とタンク１９とは底壁２０及び台座１６を介して仕切られている。また、底壁２０及び台座１６の略中央には、略円柱状の４つの加熱室２１〜２４が４段重ねに凹設されてなる内釜２５を備えている。内釜２５をこのような構造とすることにより、カセットガスコンロのバーナによる内釜２５の実質的な加熱面積を増大させることができ、短時間で効率よく且つ経済的に温湯を作ることができる。また、内釜２５に複雑な構造を要しないので、携帯型湯沸し器を安価に製造することができる。
【００３８】
更に、加熱室２４の内部には、断面略円形状の加熱管２４１〜２４３が傾斜を有して橋設されている。加熱室２１〜２４の両端はタンク１９とそれぞれ連通されていて、タンク１９中の水が加熱管２４１〜２４３内を流通、循環可能に構成されている。このような構造とすることにより、カセットガスコンロのバーナの火力から加熱管２４１〜２４３内部の水への熱伝達が高効率に行われるだけでなく、内釜２５内に加熱管２４１〜２４３を傾斜させて配設したことにより、加熱管２４１〜２４３の内部で加熱された水が傾斜した加熱管の下方から上方に効率よく移動しタンク内部の対流を促進するので、更に湯沸しの高効率化を達成することができる。
【００３９】
また、内釜２５の上部には、タンク１９を貫通して外部に連通した排気管１２が連結されており、排気管１２の内壁を介して排気管１２内を通過する高熱の排気ガスとタンク１９内の水とで熱交換を行うことにより、更に効率的に湯沸しを行うことができる。
【００４０】
次に、携帯型湯沸し器１の使用方法について説明する。図６は、携帯型湯沸し器１の使用態様を示す概念図である。まず、図６に示すように、カセットガスコンロ５を地面等のような水平で火気的に安全な場所に設置し、カセットガスコンロ５のバーナ部５１が携帯型湯沸し器１の内釜２５の略中心部に位置するように底壁２０を五徳５２上に載置して、携帯型湯沸し器１のコンロ収容部１６１にカセットガスコンロ５を収容する。この際、カセットガスコンロ５のボンベ収納部５３がコンロ収容部１６１の防風壁１６２の外側に突出するようにセットする。カセットガスコンロのボンベ収納部５３を防風壁１６２の外部に突出させることにより、長時間使用してもカセットガスボンベの過熱による爆発事故等を防止することができ、極めて安全に使用することができる。
【００４１】
次に、注水口キャップ（図示せず）を取り外して注水口１４からタンク１９内に給水し、カセットガスコンロ５を点火してタンク１９内の水が所定温度の温湯になるまで加熱する。この際、加熱管２４１〜２４３及び排気管１２によりカセットガスコンロ５の火力がタンク１９内の水に高効率に熱伝達されるとともに、暖められた水により加熱管２４１〜２４３及びタンク１９内に自然対流が生じ、水が効率よく循環、加熱されるので、極めて短時間で経済的に所定温度の温湯を得ることができる。タンク１９内の水が所定温度の温湯になったらカセットガスコンロ５を消火する。得られた温湯は、蛇口１７を開栓して給湯する。
【００４２】
また、本考案の携帯型湯沸し器１は、図６に示すように、携帯型シャワー６を駆動して給湯することもできる。携帯型シャワー６は、防水型の水中ポンプ６１と、水中ポンプ６１にシャワーホース６２を介して連結されたシャワーヘッド６３とからなり、電源コード６４、スイッチ６５及びシガープラグ６６を介して自動車のシガーソケット（図示せず）に接続されるようになっている。携帯型シャワー６の水中ポンプ６１を携帯型湯沸し器１の注水口１４からタンク１９内に投入し、スイッチ６５をオンにすると、水中ポンプ６１が作動してタンク１９中の温湯が汲み上げられ、シャワーホース６２を介してシャワーヘッド６３から給湯される。
【００４３】
本考案は上述した実施形態に限定されるものではなく、本考案の要旨を逸脱しない範囲内において種々変更を加え得ることは勿論である。
【００４４】
例えば、上記実施形態に係る携帯型湯沸し器が備える上記各部材の形状、位置、数量等は上記実施形態の例に限定されるものではなく、タンク、内釜、加熱管等の形状は、円筒状、楕円筒状等であってもよいし、排気管等の形状は、楕円筒状、角筒状等であってもよいし、加熱管の数は、３本以外であってもよい。更に、本考案の携帯型湯沸し器は、必ずしも注水口キャップ、排気口キャップ、蛇口、取っ手等を具備していなくても構わないし、携帯用シャワーのホース等を係止するための係止ピン等を更に備えていてもよい。
【００４５】
また、内釜を構成する加熱室の形状は、略円柱状以外にも、三角柱、五角柱等の略角柱状、略直方体状、略截頭半楕円体状、略楕円柱状、截頭三角錐、截頭四角錐等の略截頭角錐状、略截頭円錐状、截頭楕円錐、略截頭半球状、略截頭半楕円体状等であってもよく、また、これらは４段重ね以外にも２段重ねや３段重ね以上に凹設されても構わない。
【００４６】
また、加熱室の加熱管は、図７に示すように、更に加熱管２４１等の外壁に複数の円環状フィン２４４が所定間隔で複数個付設されていてもよいし、図１７に示すように、加熱管２４１等の外壁に連続する螺旋状フィン２４５が付設されていてもよい。このような構造とすることにより、熱伝達の高効率化を安価に実現することができる。
【００４７】
また、上記実施形態に係る携帯型湯沸し器では内釜がタンク底部に凹設された構造を有していたが、内釜をタンクの側部に凹設し、カセットガスコンロに替えてカセットガスボンベにトーチ型のバーナを取り付けたカセットガストーチバーナを利用して内釜を加熱する構成としても良い。
【００４８】
また、上記実施形態では、携帯型シャワーの水中ポンプは自動車等の外部ＤＣ電源を利用するものであったが、乾電池、充電池等の内部ＤＣ電源（バッテリ電源）を利用するものであってもよいし、外部ＡＣ電源を利用するものであっても良い。更には、水中ポンプを用いずにタンク外から手動ポンプや電動ポンプで汲水する構成であっても構わない。
【産業上の利用可能性】
【００４９】
上述したように、本考案の携帯型湯沸し器は、屋内外を問わずにどこでも使用することができ、小型で可搬性に優れ、安価に製造することができるばかりでなく、極めて短時間で効率よく温湯を作ることができるので燃料を大幅に節約することができる。従って、例えば被災地等で、防災用湯沸し器や、鍋、釜等の調理器等として利用した場合極めて有用である。また、野外で極めて簡単に温湯シャワー等を供給することができるので、被災地における防災用シャワーとしてはもちろん、海水浴、サーフィン、スキューバダイビング等のレジャーやマリンスポーツ、キャンプ等で簡易シャワーとして利用した場合極めて有用である。
【符号の説明】
【００５０】
１・・・携帯型湯沸し器
１０・・・胴体
１１・・・蓋体
１１１・・・留金
１２・・・排気管
１２１・・・排気口
１３・・・排気口キャップ
１３１・・・天板
１３２・・・確認窓
１３３・・・確認窓蓋
１４・・・注水口
１５・・・注水口キャップ
１５１・・・温度計
１６・・・台座
１６１・・・コンロ収容部
１６２・・・防風壁
１６３・・・脚板
１７・・・蛇口
１８・・・取っ手
１９・・・タンク
２０・・・底壁
２１〜２４・・・加熱室
２４１〜２４３・・・加熱管
２４４・・・円環状フィン
２４５・・・螺旋状フィン
２５・・・内釜
５・・・カセットガスコンロ
５１・・・バーナ部
５２・・・五徳
５３・・・ボンベ収納部
６・・・携帯型シャワー
６１・・・水中ポンプ
６２・・・シャワーホース
６３・・・シャワーヘッド
６４・・・電源コード
６５・・・スイッチ
６６・・・シガープラグ
【図１】
0003155353.tif 000003
【図２】
0003155353.tif 000004
【図３】
0003155353.tif 000005
【図４】
0003155353.tif 000006
【図５】
0003155353.tif 000007
【図６】
0003155353.tif 000008
【図７】
0003155353.tif 000009
【図８】
0003155353.tif 000010